(57)【要約】【課題】移動通信網に収容される基地局に無線接続できる場合には、これまで通り基地局を通じた通信を行うことができ、一方、基地局に無線接続できない場合でも、通信を行うことが可能な通信システムおよび移動無線端末装置を提供する。【解決手段】移動無線端末装置１００ｂがＩＰ網ＩＰＮに接続されると、ＩＰ網ＩＰＮを通じてこれを検出した管理サーバ２００が上記移動無線端末装置１００ｂにＩＰアドレスを割り当てるとともに、アクセス網ＡＮに収容される位置登録サーバ３００に上記移動無線端末装置１００ｂのＩＰアドレスを送信して、移動無線端末装置１００ｂの位置登録を行う。やがて、公衆基地局ＣＳを通じて移動無線端末装置１００ａから上記移動無線端末装置１００ｂ宛てに発呼が行われると、位置登録サーバ３００に蓄積される位置情報に基づいて、移動無線端末装置１００ｂに着信信号は送信されるようにしている。【選択図】図１
2007116415.tif 000002
【特許請求の範囲】
【請求項１】
複数の無線基地局を収容する移動通信網と、インターネットプロトコルを用いて通信を行うＩＰ網と、前記無線基地局と無線通信する移動無線端末装置とを用いた通信システムであって、
前記移動無線端末装置は、
前記無線基地局と無線通信する無線インターフェースと、
前記ＩＰ網と有線接続して通信する有線インターフェースと、
当該移動無線端末装置に割り当てられた加入者番号を記憶する記憶手段とを備え、
当該通信システムは、
前記ＩＰ網に有線接続された移動無線端末装置に対してＩＰアドレスを割り当てるアドレス割当手段と、
前記ＩＰ網に有線接続された移動無線端末装置から加入者番号を取得する取得手段と、
前記無線基地局が移動無線端末装置から取得した情報に基づいて、前記移動通信網に接続可能な移動無線端末装置の位置情報を管理するとともに、前記アドレス割当手段が割り当てたＩＰアドレスと前記取得手段が取得した加入者番号とに基づいて、前記ＩＰ網に接続される移動無線端末装置の位置情報を管理する位置情報管理手段と、
発信信号を検出した場合に、この信号に含まれる発信先の加入者番号と、前記位置情報管理手段が管理する位置情報に基づいて、発信先の移動無線端末装置の位置を特定し、移動通信網またはＩＰ網を通じて、前記発信先の移動無線端末装置に対して発信信号を送信する発信制御手段とを具備することを特徴とする通信システム。
【請求項２】
複数の無線基地局を収容する移動通信網と、インターネットプロトコルを用いて通信を行うＩＰ網と、前記無線基地局と無線通信する移動無線端末装置とを用いた通信システムであって、
当該通信システムは、前記移動通信網に接続される位置登録サーバと、前記移動通信網およびＩＰ網に接続される管理サーバを備え、
前記移動無線端末装置は、
前記無線基地局と無線通信する無線インターフェースと、
前記ＩＰ網と有線接続して通信する有線インターフェースと、
当該移動無線端末装置に割り当てられた加入者番号を記憶する記憶手段とを備え、
前記管理サーバは、
前記ＩＰ網に有線接続された移動無線端末装置に対してＩＰアドレスを割り当てるアドレス割当手段と、
前記ＩＰ網に有線接続された移動無線端末装置から加入者番号を取得する取得手段と、
前記アドレス割当手段が割り当てたＩＰアドレスと前記取得手段が取得した加入者番号とを前記位置登録サーバに通知する通知手段とを備え、
前記位置登録サーバは、
前記無線基地局が移動無線端末装置から取得した情報に基づいて、前記移動通信網に接続可能な移動無線端末装置の位置情報を管理するとともに、前記通知手段から通知された情報に基づいて、前記ＩＰ網に接続される移動無線端末装置の位置情報を管理する位置情報管理手段とを備え、
前記移動通信網は、
発信信号を検出した場合に、この信号に含まれる発信先の加入者番号と、前記位置情報管理手段が管理する位置情報に基づいて、発信先の移動無線端末装置の位置を特定し、前記発信先の移動無線端末装置に対して発信信号を送信する発信制御手段とを具備することを特徴とする通信システム。
【請求項３】
複数の無線基地局を収容する移動通信網と、インターネットプロトコルを用いて通信を行うＩＰ網と、前記無線基地局と無線通信する移動無線端末装置とを用いた通信システムであって、
当該通信システムは、前記移動通信網に接続される位置登録サーバと、前記移動通信網およびＩＰ網に接続される管理サーバを備え、
前記移動無線端末装置は、
前記ＩＰ網と有線接続して通信する有線インターフェースと、
加入者番号を記憶する記憶手段と、
前記無線基地局と無線通信する無線インターフェースとを備え、
前記管理サーバは、
前記ＩＰ網に有線接続された移動無線端末装置に対してＩＰアドレスを割り当てるアドレス割当手段と、
前記ＩＰ網に有線接続された移動無線端末装置から加入者番号を取得する取得手段と、
前記アドレス割当手段が割り当てたＩＰアドレスと前記取得手段が取得した加入者番号とを前記位置登録サーバに通知する通知手段とを備え、
前記位置登録サーバは、
前記無線基地局が移動無線端末装置から取得した情報に基づいて、前記移動通信網に接続可能な移動無線端末装置の位置情報を管理するとともに、前記通知手段から通知された情報に基づいて、前記ＩＰ網に接続される移動無線端末装置の位置情報を管理する位置情報管理手段とを備え、
前記ＩＰ網は、
発信信号を検出した場合に、この信号に含まれる発信先の加入者番号と、前記位置情報管理手段が管理する位置情報に基づいて、発信先の移動無線端末装置の位置を特定し、前記発信先の移動無線端末装置に対して発信信号を送信する発信制御手段とを具備することを特徴とする通信システム。
【請求項４】
複数の無線基地局を収容する移動通信網と、インターネットプロトコルを用いて通信を行うＩＰ網とが接続された通信システムで用いられる移動無線端末装置であって、
前記ＩＰ網と有線接続して通信する有線インターフェースと、
前記無線基地局と無線通信する無線インターフェースと、
前記有線インターフェースに前記ＩＰ網が有線接続される場合には、前記無線インターフェースの動作を停止させるインターフェース制御手段とを具備することを特徴とする移動無線端末装置。
【請求項５】
複数の無線基地局を収容する移動通信網と、インターネットプロトコルを用いて通信を行うＩＰ網とが接続された通信システムで用いられる移動無線端末装置であって、
前記ＩＰ網と有線接続して通信する有線インターフェースと、
前記無線基地局と無線通信する無線インターフェースと、
前記有線インターフェースに前記ＩＰ網が有線接続される場合には、前記無線インターフェースの動作を停止させ、一方、前記有線インターフェースに前記ＩＰ網が有線接続されない場合には、前記無線インターフェースを動作させるインターフェース制御手段とを具備することを特徴とする移動無線端末装置。
【発明の詳細な説明】
【技術分野】
【０００１】
この発明は、例えばＰＨＳ（Personal Handyphone System）や携帯電話システムなどの移動通信システムに関する。
【背景技術】
【０００２】
周知のように、従来のＰＨＳで用いられる端末装置（例えば、特許文献１参照）は、ディジタルコードレス電話の子機として使用される場合、内線電話用の端末として位置づけられ、内線モードと公衆モードの両方で待ち受けを行っている。このため、当該子機の電話番号に対して電話をかけた場合に、当該子機が公衆用基地局の電波が届かない場所に居る場合は、着信を受けることができないという問題がある。
【０００３】
また携帯電話システムの端末装置には、LAN端末としてネットワークに有線接続するものがある。このような端末装置は、LANと移動通信網とを接続するためのアクセスポイントとして使われ、発信呼や着信呼をLAN経由で行うことができない。また、アクセスポイントとして使用する場合においても、移動通信網に無線接続できることが条件となり、圏外エリアで通話などを行うことはできないという問題がある。
【特許文献１】特開２００４−０９６１４５公報
【発明の開示】
【発明が解決しようとする課題】
【０００４】
従来の移動通信システムの移動無線端末装置では、移動通信網に収容される無線基地局と通信できない場所では運用できないという問題があった。  
この発明は上記の問題を解決すべくなされたもので、移動通信網に収容される無線基地局に無線接続できる場合には、これまで通り無線基地局を通じた通信を行うことができ、一方、無線基地局に無線接続できない場合でも、ＩＰ網を通じて通信を行うことが可能な通信システムおよび移動無線端末装置を提供することを目的とする。
【課題を解決するための手段】
【０００５】
上記の目的を達成するために、この発明は、複数の無線基地局を収容する移動通信網と、インターネットプロトコルを用いて通信を行うＩＰ網と、前記無線基地局と無線通信する移動無線端末装置とを用いた通信システムであって、移動無線端末装置は、無線基地局と無線通信する無線インターフェースと、ＩＰ網と有線接続して通信する有線インターフェースと、当該移動無線端末装置に割り当てられた加入者番号を記憶する記憶手段とを備え、当該通信システムは、ＩＰ網に有線接続された移動無線端末装置に対してＩＰアドレスを割り当てるアドレス割当手段と、ＩＰ網に有線接続された移動無線端末装置から加入者番号を取得する取得手段と、無線基地局が移動無線端末装置から取得した情報に基づいて、移動通信網に接続可能な移動無線端末装置の位置情報を管理するとともに、アドレス割当手段が割り当てたＩＰアドレスと取得手段が取得した加入者番号とに基づいて、ＩＰ網に接続される移動無線端末装置の位置情報を管理する位置情報管理手段と、発信信号を検出した場合に、この信号に含まれる発信先の加入者番号と、位置情報管理手段が管理する位置情報に基づいて、発信先の移動無線端末装置の位置を特定し、移動通信網またはＩＰ網を通じて、発信先の移動無線端末装置に対して発信信号を送信する発信制御手段とを具備して構成するようにした。
【発明の効果】
【０００６】
以上述べたように、この発明では、位置情報管理手段が、無線基地局に無線接続可能な移動無線端末装置や、ＩＰ網に接続される移動無線端末装置の位置情報を管理し、発信制御手段が発信信号を検出した場合に、この信号に含まれる発信先の加入者番号と、位置情報管理手段が管理する位置情報に基づいて、発信先の移動無線端末装置の位置を特定し、移動通信網またはＩＰ網を通じて、発信先の移動無線端末装置に対して発信信号を送信するようにしている。
【０００７】
したがって、この発明によれば、無線基地局に無線接続可能な移動無線端末装置でも、ＩＰ網に接続される移動無線端末装置であっても、同じ加入者番号に基づいて発信信号を発信先の移動無線端末装置に送信することができるので、移動通信網に収容される無線基地局に無線接続できる場合には、これまで通り無線基地局を通じた通信を行うことができ、一方、無線基地局に無線接続できない場合でも、ＩＰ網を通じて通信を行うことが可能な移動通信システムおよび移動無線端末装置を提供できる。
【発明を実施するための最良の形態】
【０００８】
以下、図面を参照して、この発明の一実施形態について説明する。図１は、この発明の一実施形態に係わる通信システムの構成を示すものである。この通信システムは、ＰＨＳ（Personal Handyphone System）のアクセス網ＡＮと、公衆網ＰＮと、ＩＰ（Internet Protocol）網ＩＰＮの３つの網が相互に接続されている。またアクセス網ＡＮは、複数の公衆基地局ＣＳを収容するとともに、管理サーバ２００と位置登録サーバ３００を収容する。
【０００９】
公衆基地局ＣＳは、無線通信可能なエリア内に位置する移動無線端末装置１００ａや１００ｂと無線通信し、これらの移動無線端末装置から電話番号などの識別情報を取得し、これらの情報と自局の識別情報をアクセス網ＡＮを通じて位置登録サーバ３００に提供する。また公衆基地局ＣＳは、移動無線端末装置１００ａや１００ｂの発着信時に、これらと無線通信を行い、これらをアクセス網ＡＮに接続する。
【００１０】
移動無線端末装置１００ａおよび１００ｂは、ＰＨＳ子機であって、例えば図２に示すように構成される。移動無線端末装置１００ａ，１００ｂは、それぞれアンテナ１０１と、無線通信部１１０と、音声処理部１２０と、表示部１３０と、操作部１４０と、報知部１５０と、記憶部１６０と、有線通信部１７０と、制御部１８０とを備えている。  
アンテナ１０１は、公衆基地局ＣＳから送信される無線信号の受信や、当該移動無線端末装置からの公衆基地局ＣＳに宛てた無線信号の送信を行うものである。
【００１１】
無線通信部１１０は、アンテナ１０１を通じて公衆基地局ＣＳと無線通信し、この基地局を通じてアクセス網ＡＮを介して通信相手局と通信するものである。具体的には、無線通信部１１０は、アンテナ１０１が受信した無線信号をダウンコンバートして復調し、通信相手局から送信された符号化音声データを得て、これを制御部１８０を通じて音声処理部１２０に出力する。また無線通信部１１０は、制御部１８０を通じて音声処理部１２０から与えられる符号化音声データを用いてベースバンド信号を変調し、これをアップコンバートして無線信号を生成し、アンテナ１０１を通じて公衆基地局ＣＳに宛てて送信する。
【００１２】
音声処理部１２０は、無線通信部１１０あるいは有線通信部１７０にて復調された符号化音声データを復号して音声信号を再生し、内蔵するスピーカ１２１から拡声出力する。これにより、通話相手局からの送話音声がユーザに伝達される。また音声処理部１２０は、内蔵するマイクロホン１２２から入力された音声信号を符号化して符号化音声データを生成し、これを制御部１８０を通じて無線通信部１１０あるいは有線通信部１７０に与える。
【００１３】
表示部１３０は、ＬＣＤ（Liquid Crystal Display）などを用いた表示装置であって、テキストや画像など種々の視覚的な情報をユーザに映示するものである。操作部１４０は、複数のキースイッチなどを備え、ユーザの要求を受け付けるものである。報知部１５０は、着信の発生を音によりユーザに報知するものである。
【００１４】
記憶部１６０は、制御部１８０の制御プログラムや制御データ、当該移動無線端末装置の電話番号、当該移動無線端末装置に割り当てられたＩＰアドレスを記憶するとともに、電話番号、名称および顔写真などの画像データを対応づけた電話帳データや、送受信したメールデータなどが記憶される。
【００１５】
有線通信部１７０は、ＩＰ網ＩＰＮに有線接続するインターフェースを備え、このインターフェースを用いてＩＰ網ＩＰＮに有線接続し、ＩＰ網ＩＰＮを介したＩＰ通信により通信相手局と通信するものである。具体的には、有線通信部１７０は、ＩＰ網ＩＰＮから受信した信号を復調し、通信相手局から送信された符号化音声データを得て、これを制御部１８０を通じて音声処理部１２０に出力する。また有線通信部１７０は、制御部１８０を通じて音声処理部１２０から与えられる符号化音声データを用いて送信信号を生成し、ＩＰ網ＩＰＮを通じて通信相手に宛てて送信する。
【００１６】
制御部１８０は、当該移動無線端末装置の各部を統括して制御するものである。例えば、制御部１８０は、無線通信部１１０を制御して、アクセス網ＡＮを通じた通信を行ったり、あるいは有線通信部１７０を制御して、ＩＰ網ＩＰＮを通じた通信を行う制御機能を備え、これにより音声通信や電子メールの送受信を行う。
【００１７】
管理サーバ２００は、ＩＰ網ＩＰＮに接続される移動無線端末装置１００ａや１００ｂに対してＩＰアドレスの割り当てを行ったり、上記移動無線端末装置の位置登録を位置登録サーバ３００に行ったり、上記移動無線端末装置の発信先の位置情報を位置登録サーバ３００に問い合わせ、それをＩＰ網ＩＰＮに通知したりするものであって、これを実現するための構成として、例えば図３に示すように、第１通信部２０１と、第２通信部２０２と、記憶部２０３と、制御部２０４とを備える。
【００１８】
第１通信部２０１は、アクセス網ＡＮに有線接続され、アクセス網ＡＮを介した通信を行うものである。第２通信部２０２は、ＩＰ網ＩＰＮに有線接続され、ＩＰ網ＩＰＮを介したＩＰ通信により通信するものである。記憶部２０３は、制御部２０４の制御プログラムや制御データを記憶するほかに、ＩＰ網ＩＰＮに接続される移動無線端末装置のＩＰアドレスと電話番号などの識別情報を対応づけて記憶する。
【００１９】
制御部２０４は、記憶部２０３に記憶される制御プログラムや制御データにしたがって、当該管理サーバ２００の各部を統括して制御するものであって、ＩＰ網ＩＰＮに接続される移動無線端末装置１００ａや１００ｂに対してＩＰアドレスの割り当て、位置登録サーバ３００に対する上記移動無線端末装置の位置登録、および位置登録サーバ３００に対し上記移動無線端末装置の発信先の位置情報の問い合わせやその情報のＩＰ網ＩＰＮへの通知などを行うものである。
【００２０】
位置登録サーバ３００は、公衆基地局ＣＳから提供される情報に基づいて、アクセス網ＡＮに接続可能な移動無線端末装置の位置情報を管理したり、管理サーバ２００から提供される情報に基づいて、ＩＰ網ＩＰＮに収容される移動無線端末装置の位置情報を管理したり、他のネットワークからの位置登録に関する問い合わせに対して位置情報を提供したりするものであって、これらを実現するための構成として、例えば図４に示すように、通信部３０１と、記憶部３０２と、制御部３０３とを備える。
【００２１】
通信部３０１は、アクセス網ＡＮに有線接続され、アクセス網ＡＮを介した通信を行うものである。記憶部３０２は、制御部３０３の制御プログラムや制御データを記憶するほかに、公衆基地局ＣＳを通じてアクセス網ＡＮに接続される移動無線端末装置の位置情報や、ＩＰ網ＩＰＮに接続される移動無線端末装置の位置情報を記憶するものである。公衆基地局ＣＳを通じてアクセス網ＡＮに接続される移動無線端末装置については、接続される公衆基地局ＣＳ毎、または複数の公衆基地局ＣＳをまとめたグループ毎に位置情報が管理される。
【００２２】
制御部３０３は、記憶部３０２に記憶される制御プログラムや制御データにしたがって、当該位置登録サーバ３００の各部を統括して制御するものであって、アクセス網ＡＮやＩＰ網ＩＰＮに収容される移動無線端末装置の位置情報の管理、および他のネットワークからの位置登録に関する問い合わせに対する位置情報の提供などを行うものである。
【００２３】
次に、上記構成の通信システムの動作について説明する。以下の説明では、特にＩＰ網ＩＰＮに有線接続した移動無線端末装置１００ｂの発着信に関わる動作について説明する。まず図５に示すシーケンスを参照して、ＩＰ網ＩＰＮに有線接続した移動無線端末装置１００ｂに対して、着呼が発生する場合の動作について説明する。
【００２４】
移動無線端末装置１００ｂのユーザは、例えば公衆基地局ＣＳの通信圏外などの仕事場に移動した場合に、ユーザは有線通信部１７０をＩＰＮ網ＩＰＮに接続する（Ｓ５０１）。すると、これを検出した制御部１８０は、無線通信部１１０への電力供給を停止して受信動作を停止させ、無線通信に関わる消費電力の軽減を行う。
【００２５】
また制御部１８０が有線通信部１７０を制御して、ＩＰ網ＩＰＮを通じて管理サーバ２００に対してＩＰ網ＩＰＮへ接続されたことを通知して、ＩＰアドレスの割り当て要求を行う（Ｓ５０２）。
【００２６】
これに対して管理サーバ２００は、第２通信部２０２が上記要求を受信すると、これを制御部２０４が検出し、移動無線端末装置１００ｂに割り当てるＩＰアドレスを決定する。そして、制御部２０４は、第２通信部２０２を制御して、ＩＰ網ＩＰＮを通じて、上記決定したＩＰアドレスを移動無線端末装置１００ｂに通知する（Ｓ５０３）。
【００２７】
これに対して移動無線端末装置１００ｂは、有線通信部１７０がＩＰアドレスの通知を受信すると、これを制御部１８０が検出し、受信したＩＰアドレスを記憶部１６０に記録するとともに、記憶部１６０に記憶される移動無線端末装置１００ｂの電話番号を読み出す。そして、制御部１８０は、有線通信部１７０を制御して、上記電話番号と上記受信したＩＰアドレスを管理サーバ２００に通知する（Ｓ５０４）。
【００２８】
これに対して管理サーバ２００は、上記通知を第２通信部２０２が受信すると、これを検出した制御部２０４は、受信したＩＰアドレスと電話番号を対応づけて記憶部２０３に記録するとともに、制御部２０４が第１通信部２０１を制御して、アクセス網ＡＮを通じて位置登録サーバ３００に、移動無線端末装置１００ｂのＩＰアドレスおよび電話番号の情報を送信して、移動無線端末装置１００ｂがＩＰ網ＩＰＮに収容されていることを位置登録するように要求する（Ｓ５０５）。
【００２９】
これに対して位置登録サーバ３００は、通信部３０１が管理サーバ２００から上記要求を受信すると、これを検出した制御部３０３が、受信した移動無線端末装置１００ｂのＩＰアドレスおよび電話番号に基づいて、移動無線端末装置１００ｂがＩＰ網ＩＰＮに収容されるものとする位置情報を記憶部３０２に記録する。
【００３０】
以上のようにして、移動無線端末装置１００ｂがＩＰ網ＩＰＮに有線接続され、位置登録サーバ３００に位置登録が行われた後、やがて移動無線端末装置１００ａから移動無線端末装置１００ｂに向けて発信が行われるとする（Ｓ５０６）。このとき、移動無線端末装置１００ａでは、操作部１４０を通じたユーザからの発信要求により、制御部１８０が記憶部１６０より移動無線端末装置１００ａの電話番号や個体識別情報を読み出し、これらの情報と発信先である移動無線端末装置１００ｂの電話番号が、無線通信部１１０を通じて公衆基地局ＣＳに送信され、通信要求が行われる。
【００３１】
これに対して公衆基地局ＣＳは、上記通信要求を受信すると、この要求に含まれる移動無線端末装置１００ａの電話番号や個体識別情報、および移動無線端末装置１００ｂの電話番号をアクセス網ＡＮに送信して通信要求を行う（Ｓ５０７）。
【００３２】
これに対してアクセス網ＡＮは、位置登録サーバ３００に対して、発信先である移動無線端末装置１００ｂの電話番号を送信し、移動無線端末装置１００ｂの位置情報を要求する（Ｓ５０８）。
【００３３】
これに対して位置登録サーバ３００は、通信部３０１が上記要求を受信すると、これを検出した制御部３０３が、移動無線端末装置１００ｂの電話番号に基づいて、記憶部３０２に記憶される位置情報を検索し、移動無線端末装置１００ｂの位置情報を検出する。そして制御部３０３は、通信部３０１を制御して、上記検出した位置情報に基づき、移動無線端末装置１００ｂがＩＰ網ＩＰＮに収容されることをアクセス網ＡＮに通知する（Ｓ５０９）。なお、ここでは移動無線端末装置１００ｂがＩＰ網ＩＰＮに収容されることより、移動無線端末装置１００ｂのＩＰアドレスがアクセス網ＡＮに通知される。
【００３４】
これに対してアクセス網ＡＮは、位置登録サーバ３００から、発信先である移動無線端末装置１００ｂがＩＰ網ＩＰＮに収容されることを通知されたため、発信元を示す情報として移動無線端末装置１００ａの電話番号を送信するとともに、発信先を示す情報として移動無線端末装置１００ｂのＩＰアドレスを送信して、通信要求を行う（Ｓ５１０）。
【００３５】
これに対してＩＰ網ＩＰＮは、アクセス網ＡＮから通知されたＩＰアドレスより、発信先が移動無線端末装置１００ｂであることを特定し、有線回線を通じて移動無線端末装置１００ｂに対して発信元の移動無線端末装置１００ａの電話番号を送信して、着信の発生の通知を開始する（Ｓ５１１）。
【００３６】
これに対して移動無線端末装置１００ｂは、有線通信部１７０が着信信号を受信すると、これを検出した制御部１８０は、上記着信信号に含まれる電話番号に対応づけられた名称および顔写真などの画像データを、記憶部１６０に記憶される電話帳データから検出し、表示部１３０に発信者の名称（移動無線端末装置１００ａのユーザ名）や上記画像データに基づく画像を表示するとともに、報知部１５０を制御して着信の発生をユーザに報知する。
【００３７】
一方、ＩＰ網ＩＰＮは、アクセス網ＡＮに対して、発信先の移動無線端末装置１００ｂに対して呼び出しを行っていることを示すリングバックトーンの送信を開始する（Ｓ５１２）。このリングバックトーンは、発信先の移動無線端末装置１００ｂが着信に応答するか、あるいは発信元である移動無線端末装置１００ａが呼び出しを終了するまで継続される。
【００３８】
これに対してアクセス網ＡＮは、リングバックトーンをＩＰ網ＩＰＮから受信すると、公衆基地局ＣＳに対して、リングバックトーンを送信して、発信先の移動無線端末装置１００ｂに対して呼び出しを行っていることを示す（Ｓ５１３）。
【００３９】
これに対して公衆基地局ＣＳは、リングバックトーンをアクセス網ＡＮから受信すると、移動無線端末装置１００ａに対して、リングバックトーンを無線送信して、発信先の移動無線端末装置１００ｂに対して呼び出しを行っていることを示す（Ｓ５１４）。
【００４０】
これに対して移動無線端末装置１００ａでは、無線通信部１１０が公衆基地局ＣＳからリングバックトーンを含む無線信号を受信すると、これを検出した制御部１８０は、音声処理部１２０を制御して、スピーカ１２１よりリングバックトーンを拡声出力する。
【００４１】
やがて、移動無線端末装置１００ｂにおいて、ユーザが操作部１４０を操作して、着信に応答する意思を示すと（Ｓ５１５）、移動無線端末装置１００ａと移動無線端末装置１００ｂとの間で、音声通信を行うための通話リンクを確立する処理が所定の手順に従って実施され（Ｓ５１６）、移動無線端末装置１００ａと移動無線端末装置１００ｂとの間で通話リンクが確立し、音声通信が可能となる。
【００４２】
その後、通話が終了し、移動無線端末装置１００ａあるいは移動無線端末装置１００ｂにて、操作部１４０を通じてユーザから終話要求が為されると、移動無線端末装置１００ａと移動無線端末装置１００ｂとの間で、通話リンクを開放する処理が所定の手順に従って実施され（Ｓ５１７）、移動無線端末装置１００ａと移動無線端末装置１００ｂとの間の通話リンクが開放される。
【００４３】
そして、移動無線端末装置１００ｂのユーザが現在の仕事場から、外出するなどの必要が生じた場合には、有線通信部１７０のＩＰ網ＩＰＮへの物理的な接続を切断し、移動無線端末装置１００ｂを携帯して外出する（Ｓ５１８）。
【００４４】
移動無線端末装置１００ｂでは、有線通信部１７０がＩＰ網ＩＰＮから物理的に切断されたことを検出すると、無線通信部１１０への電力供給を行って受信動作を再開させ、無線通信部１１０を制御して、公衆基地局ＣＳをサーチする。やがて、公衆基地局ＣＳを捕捉すると、この捕捉した公衆基地局ＣＳを通じて自己の識別情報を送信して位置登録を実施する。
【００４５】
一方、ＩＰ網ＩＰＮは、移動無線端末装置１００ｂと物理的に切断されたことを検出すると、移動無線端末装置１００ｂのＩＰアドレスを送信して、切断された旨を管理サーバ２００に通知する（Ｓ５１９）。
【００４６】
管理サーバ２００では、第２通信部２０２が上記通知を受信すると、この受信を検出した制御部２０４が記憶部２０３に記録される移動無線端末装置１００ｂの情報（ＩＰアドレスと電話番号）を削除する。また制御部２０４は、第１通信部２０１を制御して、アクセス網ＡＮを介して、移動無線端末装置１００ｂのＩＰアドレスを送信して、切断された旨を位置登録サーバ３００に通知する（Ｓ５２０）。
【００４７】
これに対して位置登録サーバ３００は、通信部３０１が管理サーバ２００から上記通知を受信すると、これを検出した制御部３０３が、受信した移動無線端末装置１００ｂのＩＰアドレスに基づいて、移動無線端末装置１００ｂがＩＰ網ＩＰＮに収容されるという位置情報を記憶部３０２から削除する。
【００４８】
次に、図６に示すシーケンスを参照して、ＩＰ網ＩＰＮに有線接続した移動無線端末装置１００ｂから発信を行う場合の動作について説明する。  
移動無線端末装置１００ｂのユーザは、例えば公衆基地局ＣＳの通信圏外などの仕事場に移動した場合に、ユーザは有線通信部１７０をＩＰＮ網ＩＰＮに接続する（Ｓ６０１）。すると、これを検出した制御部１８０は、無線通信部１１０への電力供給を停止して受信動作を停止させ、無線通信に関わる消費電力の軽減を行う。
【００４９】
また制御部１８０が有線通信部１７０を制御して、ＩＰ網ＩＰＮを通じて管理サーバ２００に対してＩＰ網ＩＰＮへ接続されたことを通知して、ＩＰアドレスの割り当て要求を行う（Ｓ６０２）。
【００５０】
これに対して管理サーバ２００は、第２通信部２０２が上記要求を受信すると、これを制御部２０４が検出し、移動無線端末装置１００ｂに割り当てるＩＰアドレスを決定する。そして、制御部２０４は、第２通信部２０２を制御して、ＩＰ網ＩＰＮを通じて、上記決定したＩＰアドレスを移動無線端末装置１００ｂに通知する（Ｓ６０３）。
【００５１】
これに対して移動無線端末装置１００ｂは、有線通信部１７０がＩＰアドレスの通知を受信すると、これを制御部１８０が検出し、受信したＩＰアドレスを記憶部１６０に記録するとともに、記憶部１６０に記憶される移動無線端末装置１００ｂの電話番号を読み出す。そして、制御部１８０は、有線通信部１７０を制御して、上記電話番号と上記受信したＩＰアドレスを管理サーバ２００に通知する（Ｓ６０４）。
【００５２】
これに対して管理サーバ２００は、上記通知を第２通信部２０２が受信すると、これを検出した制御部２０４は、受信したＩＰアドレスと電話番号を対応づけて記憶部２０３に記録するとともに、制御部２０４が第１通信部２０１を制御して、アクセス網ＡＮを通じて位置登録サーバ３００に、移動無線端末装置１００ｂのＩＰアドレスおよび電話番号の情報を送信して、移動無線端末装置１００ｂがＩＰ網ＩＰＮに収容されていることを位置登録するように要求する（Ｓ６０５）。
【００５３】
これに対して位置登録サーバ３００は、通信部３０１が管理サーバ２００から上記要求を受信すると、これを検出した制御部３０３が、受信した移動無線端末装置１００ｂのＩＰアドレスおよび電話番号に基づいて、移動無線端末装置１００ｂがＩＰ網ＩＰＮに収容されるものとする位置情報を記憶部３０２に記録する。
【００５４】
以上のようにして、移動無線端末装置１００ｂがＩＰ網ＩＰＮに有線接続され、位置登録サーバ３００に位置登録が行われた後、やがて移動無線端末装置１００ｂから移動無線端末装置１００ａに向けて発信が行われるとする（Ｓ６０６）。このとき、移動無線端末装置１００ｂでは、操作部１４０を通じたユーザからの発信要求により、制御部１８０が記憶部１６０より移動無線端末装置１００ｂの電話番号や個体識別情報を読み出し、これらの情報と発信先である移動無線端末装置１００ａの電話番号が、有線通信部１７０を通じてＩＰ網ＩＰＮに送信され、通信要求が行われる。
【００５５】
これに対してＩＰ網ＩＰＮは、管理サーバ２００に対して、発信先である移動無線端末装置１００ａの電話番号を送信し、移動無線端末装置１００ａの位置情報を要求する（Ｓ６０７）。
【００５６】
これに対して管理サーバ２００は、第２通信部２０２が上記要求を受信すると、制御部２０４が、第２通信部２０２が受信した移動無線端末装置１００ａの電話番号に基づいて、記憶部２０３に記憶される情報を検索し、移動無線端末装置１００ａにＩＰ網ＩＰＮのＩＰアドレスが割り当てられている、すなわち、移動無線端末装置１００ａがＩＰ網ＩＰＮに収容されているか否かを判定する。
【００５７】
ここでは、移動無線端末装置１００ａには、ＩＰ網ＩＰＮのＩＰアドレスが割り当てられていない、すなわち、移動無線端末装置１００ａはＩＰ網ＩＰＮに収容されていないため、これを制御部２０４が検出し、第１通信部２０１を制御して、アクセス網ＡＮを介して位置登録サーバ３００に対し、発信先である移動無線端末装置１００ａの電話番号を送信し、移動無線端末装置１００ａの位置情報を要求する（Ｓ６０８）。
【００５８】
これに対して位置登録サーバ３００は、通信部３０１が上記要求を受信すると、これを検出した制御部３０３が、移動無線端末装置１００ａの電話番号に基づいて、記憶部３０２に記憶される位置情報を検索し、移動無線端末装置１００ａの位置情報を検出する。そして制御部３０３は、通信部３０１を制御して、上記検出した位置情報をアクセス網ＡＮを介して管理サーバ２００に通知する（Ｓ６０９）。
【００５９】
これに対して管理サーバ２００は、第１通信部２０１が上記通知を受信すると、これを検出した制御部２０４は、第２通信部２０２を制御して、ＩＰ網ＩＰＮに対して上記受信した位置情報を送信する（Ｓ６１０）。
【００６０】
これに対してＩＰ網ＩＰＮは、管理サーバ２００から通知された位置情報より、発信先である移動無線端末装置１００ａがアクセス網ＡＮに収容されることを検出し、アクセス網ＡＮに対して、発信元である移動無線端末装置１００ｂの電話番号およびＩＰアドレスを送信して、通信を要求する（Ｓ６１１）。
【００６１】
これに対してアクセス網ＡＮは、位置登録サーバ３００に対して、移動無線端末装置１００ａの電話番号を送信し、移動無線端末装置１００ａの位置情報を提供するように求める（Ｓ６１２）。
【００６２】
これに対して位置登録サーバ３００は、通信部３０１が上記要求を受信すると、これを検出した制御部３０３が、移動無線端末装置１００ａの電話番号に基づいて、記憶部３０２に記憶される位置情報を検索し、移動無線端末装置１００ａの位置情報を検出する。そして制御部３０３は、通信部３０１を制御して、移動無線端末装置１００ａの位置情報をアクセス網ＡＮに通知する（Ｓ６１３）。なお、ここでは移動無線端末装置１００ａが公衆基地局ＣＳに無線接続されることより、公衆基地局ＣＳの識別情報がアクセス網ＡＮに通知される。
【００６３】
これに対してアクセス網ＡＮは、位置登録サーバ３００から通知された位置情報（公衆基地局ＣＳの識別情報）に基づいて公衆基地局ＣＳに対し、発信元を示す情報として移動無線端末装置１００ｂの電話番号とＩＰアドレスを送信するとともに、発信先を示す情報として移動無線端末装置１００ａの電話番号を送信して、通信要求を行う（Ｓ６１４）。
【００６４】
これに対して公衆基地局ＣＳは、アクセス網ＡＮから通知された電話番号より、発信先が移動無線端末装置１００ａであることを特定し、無線回線を通じて移動無線端末装置１００ａに対して、発信元の移動無線端末装置１００ａの電話番号を含む着信信号を送信して、着信の発生の通知を開始する（Ｓ６１５）。
【００６５】
これに対して移動無線端末装置１００ａは、無線通信部１１０が着信信号を受信すると、これを検出した制御部１８０は、上記着信信号に含まれる電話番号に対応づけられた名称および顔写真などの画像データを、記憶部１６０に記憶される電話帳データから検出し、表示部１３０に発信者の名称（移動無線端末装置１００ｂのユーザ名）や上記画像データに基づく画像を表示するとともに、報知部１５０を制御して着信の発生をユーザに報知する。
【００６６】
一方、公衆基地局ＣＳは、アクセス網ＡＮに対して、発信先の移動無線端末装置１００ａに対して呼び出しを行っていることを示すリングバックトーンの送信を開始する（Ｓ６１６）。このリングバックトーンは、発信先の移動無線端末装置１００ａが着信に応答するか、あるいは発信元である移動無線端末装置１００ｂが呼び出しを終了するまで継続される。
【００６７】
これに対してアクセス網ＡＮは、リングバックトーンを公衆基地局ＣＳから受信すると、ＩＰ網ＩＰＮに対して、リングバックトーンを送信して、発信先の移動無線端末装置１００ａに対して呼び出しを行っていることを示す（Ｓ６１７）。
【００６８】
これに対してＩＰ網ＩＰＮは、リングバックトーンをアクセス網ＡＮから受信すると、移動無線端末装置１００ｂに対して、リングバックトーンを送信して、発信先の移動無線端末装置１００ａに対して呼び出しを行っていることを示す（Ｓ６１８）。
【００６９】
これに対して移動無線端末装置１００ｂでは、有線通信部１７０がＩＰ網ＩＰＮからリングバックトーンを含む信号を受信すると、これを検出した制御部１８０は、音声処理部１２０を制御して、スピーカ１２１よりリングバックトーンを拡声出力する。
【００７０】
やがて、移動無線端末装置１００ａにおいて、ユーザが操作部１４０を操作して、着信に応答する意思を示すと（Ｓ６１９）、移動無線端末装置１００ａと移動無線端末装置１００ｂとの間で、音声通信を行うための通話リンクを確立する処理が所定の手順に従って実施され（Ｓ６２０）、移動無線端末装置１００ａと移動無線端末装置１００ｂとの間で通話リンクが確立し、音声通信が可能となる。
【００７１】
以上のように、上記構成の通信システムでは、移動無線端末装置１００ｂがＩＰ網ＩＰＮに接続されると、ＩＰ網ＩＰＮを通じてこれを検出した管理サーバ２００が上記移動無線端末装置１００ｂにＩＰアドレスを割り当てるとともに、アクセス網ＡＮに収容される位置登録サーバ３００に上記移動無線端末装置１００ｂのＩＰアドレスを送信して、移動無線端末装置１００ｂの位置登録を行うようにしている。
【００７２】
やがて、公衆基地局ＣＳを通じて移動無線端末装置１００ａから上記移動無線端末装置１００ｂ宛てに発呼が行われると、位置登録サーバ３００に蓄積される位置情報に基づいて、移動無線端末装置１００ｂに着信信号は送信され、これに応答した場合、移動無線端末装置１００ａと移動無線端末装置１００ｂとの間に通話リンクが確立されるようにしている。
【００７３】
したがって、上記構成の通信システムによれば、移動無線端末装置１００ｂが公衆基地局ＣＳに無線接続できる場合には、これまで通り公衆基地局ＣＳを通じた通信を行うことができ、一方、移動無線端末装置１００ｂが公衆基地局ＣＳに無線接続できない場合でも、移動無線端末装置１００ｂは通信を行うことができる。
【００７４】
また移動無線端末装置１００ｂは、公衆基地局ＣＳを通じた通信でも、ＩＰ網ＩＰＮを通じた通信でも、同じ電話番号で発着信を行えるので、利便性が高い。  
さらには、移動無線端末装置１００ｂは、ＩＰ網ＩＰＮに接続される場合には、無線通信部１１０の動作を停止させるようにしているので、消費電力を軽減することができ、またＩＰ網ＩＰＮから切断した場合には、無線通信部１１０を動作させるので、ユーザの手を煩わすことなくＰＨＳ子機としての運用を再開できる。
【００７５】
なお、この発明は上記実施形態そのままに限定されるものではなく、実施段階ではその要旨を逸脱しない範囲で構成要素を変形して具体化できる。また上記実施形態に開示されている複数の構成要素を適宜組み合わせることによって種々の発明を形成できる。また例えば、実施形態に示される全構成要素からいくつかの構成要素を削除した構成も考えられる。さらに、異なる実施形態に記載した構成要素を適宜組み合わせてもよい。
【００７６】
その一例として例えば、上記実施の形態では、ＩＰ網ＩＰＮに収容される移動無線端末装置１００ｂの通信相手が、公衆基地局ＣＳに無線接続される移動無線端末装置１００ａの場合を例に挙げて説明したが、これに限定されるものではなく、公衆網ＰＮやＩＰ網ＩＰＮに収容される通信端末であっても可能である。  
その他、この発明の要旨を逸脱しない範囲で種々の変形を施しても同様に実施可能であることはいうまでもない。
【図面の簡単な説明】
【００７７】
【図１】この発明に係わる通信システムの一実施の形態の構成を示すシステム構成図。
【図２】図１に示した通信システムの移動無線端末装置の構成を示す回路ブロック図。
【図３】図１に示した通信システムの管理サーバの構成を示す回路ブロック図。
【図４】図１に示した通信システムの位置登録サーバの構成を示す回路ブロック図。
【図５】図１に示した通信システムの動作を説明するためのシーケンス図。
【図６】図１に示した通信システムの動作を説明するためのシーケンス図。
【符号の説明】
【００７８】
１００ａ，１００ｂ…移動無線端末装置、１０１…アンテナ、１１０…無線通信部、１２０…音声処理部、１２１…スピーカ、１２２…マイクロホン、１３０…表示部、１４０…操作部、１５０…報知部、１６０…記憶部、１７０…有線通信部、１８０…制御部、２００…管理サーバ、２０１…第１通信部、２０２…第２通信部、２０３…記憶部、２０４…制御部、３００…位置登録サーバ、３０１…通信部、３０２…記憶部、３０３…制御部、ＡＮ…アクセス網、ＣＳ…公衆基地局、ＩＰＮ…ＩＰ網、ＰＮ…公衆網。
【図１】
2007116415.tif 000003
【図２】
2007116415.tif 000004
【図３】
2007116415.tif 000005
【図４】
2007116415.tif 000006
【図５】
2007116415.tif 000007
【図６】
2007116415.tif 000008